(57)【要約】【課題】乳児が口から離したおしゃぶりを定位置に確保することができ、衛生面できわめて清潔を保つことができるおしゃぶりを提供する。【解決手段】平板部と、この平板部に立設された乳首からなるおしゃぶり本体と、乳児の一部にクリップで取外し自在に固定する固定具と、前記おしゃぶり本体と固定具とを一定間隔で接続する接続部とからなり、前記おしゃぶり本体と固定具には、それぞれ磁石及び／又は磁性体が設けられ、これら磁石及び/又は磁性体を磁力によって吸着させておしゃぶり本体を固定具に仮固定する。磁石及び／又は磁性体は、それぞれ合成樹脂からなるおしゃぶり本体の平板部と固定具の一部に埋設する。【選択図】図１
2016013274.tif 000002
【特許請求の範囲】
【請求項１】
平板部と、この平板部に立設された乳首からなるおしゃぶり本体と、乳児の一部にクリップで取外し自在に固定する固定具と、前記おしゃぶり本体と固定具とを一定間隔で接続する接続部とからなり、前記おしゃぶり本体と固定具には、それぞれ磁石及び／又は磁性体が設けられ、これら磁石及び/又は磁性体を磁力によって吸着させておしゃぶり本体を固定具に仮固定することを特徴とする乳児用おしゃぶり。
【請求項２】
磁石及び／又は磁性体は、それぞれ合成樹脂からなるおしゃぶり本体の平板部と固定具の一部に埋設する請求項１記載の乳児用おしゃぶり。
【請求項３】
磁石はゴム磁石であり、平板部及び/又は固定具の表面に張り付けた請求項１記載の乳児用おしゃぶり。
【発明の詳細な説明】
【技術分野】
【０００１】
本発明は、衛生面を考慮した乳児用のおしゃぶりに関するものである。
【背景技術】
【０００２】
乳児が咥えるおしゃぶりは、基本的な構成として、シリコン樹脂などからなる乳児が口に咥える乳首と、この乳首を呑み込まないように乳首を立設するフランジ状の合成樹脂製の基盤からなっており、このような基本構成は周知である。
【０００３】
そして、乳児はおしゃぶりの遊びに飽きれば口から吐き出す動作を行う。この場合、おしゃぶり単体であれば、簡単に床や地面に落ちてしまう。この動作が家でされる場合にはおしゃぶりを洗浄するのは容易であるが、外出中であれば洗浄は容易ではない。しかも、乳児が落としたおしゃぶりを自分で拾って再度咥えれば、衛生面できわめて問題がある。
【０００４】
おしゃぶりが容易に落下して不衛生になることを避けるために、各種の構成が提案されている。
【先行技術文献】
【特許文献】
【０００５】
【特許文献１】特表２０１１−５２９７５１号公報
【特許文献２】実開平１−１３５９４３号公報
【特許文献３】実用新案登録第３０９０８３１号公報
【発明の概要】
【発明が解決しようとする課題】
【０００６】
これらの公知文献のうち、特許文献１ではおしゃぶりを衣服へ繋ぎ留めるクリップが記載されている。特許文献２では、おしゃぶりに吊紐を設けてこれをよだれ掛けのボタンなどに繋ぐ構成が記載されており、特許文献３では、ストラップ環におしゃぶりを取り付けて、反対端に挟持部が設けられ、この間を樹脂製の伸縮コイル部で接続する構成が記載されている。
【０００７】
これらの公知文献では、いずれもおしゃぶりが床や地面に落下しないように繋ぎ留めるという構成では一致している。しかしながら、落下したおしゃぶり自体は吊紐や伸縮コイル部の先端部分にぶら下がった状態で維持されるものであり、乳児が床に座った状態でおしゃぶりを離せばやはり床に接触するおそれがある。また、おしゃぶりは自由に遥動するので、乳児の衣服に接触することになり、衛生面において完全に清潔であるとはいえない。
本発明は、このような従来の装置の課題を解決するものであり、乳児が口から離したおしゃぶりを定位置に確保することができ、衛生面できわめて清潔を保つことができるおしゃぶりを提供することを目的とする。
【課題を解決するための手段】
【０００８】
本発明では、上記目的を達成するために、平板部と、この平板部に立設された乳首からなるおしゃぶり本体と、乳児の一部にクリップで取外し自在に固定する固定具と、前記おしゃぶり本体と固定具とを一定間隔で接続する接続部とからなり、前記おしゃぶり本体と固定具には、それぞれ磁石及び／又は磁性体が設けられ、これら磁石及び/又は磁性体を磁力によって吸着させておしゃぶり本体を固定具に仮固定するという手段を用いた。おしゃぶり本体と固定具に設けられた磁石、及び磁性体の組合わせによって、おしゃぶり本体と固定具同士が吸着されるので、乳児がおしゃぶりを止めた場合にはおしゃぶり本体を固定具に仮固定することができ、再度使用する場合でも容易におしゃぶり本体を固定具から取り外すことができる。したがって、清潔さを保っておしゃぶりを活用することが可能である。
【０００９】
また、磁石及び／又は磁性体は、それぞれ合成樹脂からなるおしゃぶり本体の平板部と固定具の一部に埋設するという手段を用いたので、磁石や磁性体が誤って剥離することがなく、安全である。なお、このような埋設に代えて磁石としてゴム磁石を採用する場合には、ゴム磁石の平面は比較的広い面積を確保できるので、たとえ接着した場合でも容易に剥離することはなく、請求項２に記載した構成と同様の安全性を確保できる。
【発明の効果】
【００１０】
本発明では、上記のような手段を採用したので、おしゃぶり本体を容易に固定具に仮固定することができ、再度使用する場合でも容易に取外すことができ、使用上において便利である。しかも、従来のように単に落下防止だけを考慮したのではなく、接続部によって従来の落下防止を図るのみならず、乳児や親などが容易に発見できる場所に仮固定するので、清潔であるとともに常時場所を確認することが可能である。
【図面の簡単な説明】
【００１１】
【図１】本発明のおしゃぶり全体を示す平面図
【図２】同、おしゃぶり本体を示す側断面図
【図３】同、固定具を示す斜視図
【発明を実施するための形態】
【００１２】
以下、本発明の好ましい実施の形態を添付した図面に従って説明する。図１は、本発明のおしゃぶりの好ましい実施例を示す平面図であって、１はおしゃぶり本体、２はおしゃぶり本体１を仮に取付ける固定具、３はおしゃぶり本体１と固定具２を接続する接続部である。そして、おしゃぶり本体１と固定具２は、磁石によってそれぞれが吸着する関係として構成される。磁石による吸着には複数の態様があり、おしゃぶり本体１に磁石が設けられ、固定具２は少なくとも一部が磁性体であるか、固定具２に磁石が設けられ、おしゃぶり本体１の一部が磁性体であるか、双方に磁石が設けられるかの３態様である。本発明では、これらの態様の何れかが採用される。なお、双方が磁性体とすると磁石による吸着は期待できないので、この組合わせは除外されることはいうまでもない。
【００１３】
おしゃぶり本体１は、図２に示すように、乳首４、この乳首４が立設されている基板部５、乳首４と基板部５の周囲に環状に設けられた装飾環６からなっているが、基本的な構成は公知のおしゃぶりと大きく変わるところはない。７は基板部５に埋設された磁石である。なお、基板部５の素材を合成樹脂として磁石７を埋設することが、誤飲を避けるために好ましいが、埋設せずに表面に張り付けることを除外するものではない。磁石はゴム磁石として、これを基板部５のいずれか表面に貼り付けてもよい。
【００１４】
一方、固定具２は図３に示すように、平板部８と、この平板部８を支持する支持部９と、この支持部９を基点として平板部８に対して閉じる方向に付勢されているクリップ１０からなっている。平板部８は磁性体からなる素材であり、おしゃぶり本体１に設けられた磁石７が吸着するように構成されている。なお、クリップ１０の具体的構成については、この実施形態のように平板部８をクリップの一部として機能させる構成に限定するものではなく、平板部８に別に構成したクリップを接着することも可能であるし、バネによって付勢するのではなく、挟み込むような態様でも可能である。また、平板部８については全てが磁性体である必要はなく、おしゃぶり本体１に設けられた磁石７が吸着する機能を発揮するのであれば、磁性体からなる板や棒などを合成樹脂からなる平板に埋設することも可能である。
【００１５】
上記の実施形態ではおしゃぶり本体１側に磁石を、固定具２側に磁性体を設けたが、逆におしゃぶり本体１側に磁性体を、固定具２側に磁石を設けた場合でも、本発明の基本的な機能を発揮することができる。さらに、両者に磁石を設けることも可能である。ただし、両者を磁石とした場合には、双方共に極性があるので吸着方向や吸着位置は制限されることになる。
【００１６】
接続部３は、本実施形態では取外し可能な任意の個数の環１１・・１１を連結して鎖状とし、その一部を任意な意匠を施した飾り１２と置換した構成である。ただし、その構成は実施形態に限定されるものではない。必要な構成は、おしゃぶり本体１と固定具２を距離を保って接続することであり、これを達成することができるものであれば、他の構成であってもよい。接続部３の全体としての長さは特に限定しないが、長すぎると磁石による吸着が解放された場合にはおしゃぶり本体１が床まで届くおそれがある一方、短すぎると乳児が首を振った場合におしゃぶり本体１、あるいは固定具２が簡単に外れるおそれがあるので、これらを考慮して決定する。
【００１７】
次に、本発明のおしゃぶりの使用について説明する。固定具２を乳児の衣服やエプロンの一部にクリップ１０で固定し、反対側のおしゃぶり本体１を通常の用法に従って乳児に与える。固定具２を衣服などに固定する位置は、例えば胸や前肩部が適当である。そして、母親などがおしゃぶりに飽きたと判断したときは、乳児の口からおしゃぶり本体を外し、その基板部５か固定具２の平板部８に設けられた磁石の吸着によっておしゃぶり本体１を固定具２に固定する。なお、乳児の月齢と学習によっては、自分でおしゃぶり本体１を固定具２に固定することもある。乳児が再度おしゃぶりを望めば、おしゃぶり本体１は簡単に固定具２から外すことができるので、清潔な状態でおしゃぶりを与えることができる。
【符号の説明】
【００１８】
１  おしゃぶり本体
２  固定具
３  接続部
４  乳首
５  基板部
６  装飾環
７  磁石
８  平板部
９  支持部
１０  クリップ
【図１】
2016013274.tif 000003
【図２】
2016013274.tif 000004
【図３】
2016013274.tif 000005